【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
被写体の光学像を観察するためのファインダー部と、
前記光学像のある光路上に配置され前記ファインダー部より観察可能な、点灯と非点灯をそれぞれ切替可能な複数のアイテムのある表示手段と、
前記光学像において特定の被写体を検出する検出手段と、
前記表示手段においては、前記複数のアイテムのうち特定の処理を行う位置を示すアイテムを点灯し、
前記検出手段が前記特定の被写体を検出していない場合には、前記アイテムを第１の形態で点灯し、
前記検出手段が前記特定の被写体を検出した場合には、前記アイテムをより前記特定の被写体の視認性が高くなる第２の形態であって、前記第１の形態よりも低い輝度で点灯するように制御する制御手段とを有することを特徴とする撮像制御装置。
【請求項２】
前記制御手段は、前記複数のアイテムのうち、前記光学像の前記特定の処理が行われる位置に重なる位置のアイテムを点灯するように制御することを特徴とする請求項１に記載の撮像制御装置。
【請求項３】
被写体の光学像を観察するためのファインダー部と、
前記光学像のある光路上に配置され前記ファインダー部より観察可能な、点灯と非点灯をそれぞれ切替可能な複数のアイテムのある表示手段と、
前記光学像において特定の被写体を検出する検出手段と、
前記表示手段においては、前記複数のアイテムのうち特定の処理を行う位置を示すアイテムを点灯し、
前記検出手段が前記特定の被写体を検出していない場合には、前記アイテムを第１の形態で点灯し、
前記検出手段が前記特定の被写体を検出した場合には、前記アイテムをより前記特定の被写体の視認性が高くなる第２の形態であって、前記アイテムを前記第１の形態よりも前記特定の被写体と重なる領域が小さくなるように点灯するように制御する制御手段とを有することを特徴とする撮像制御装置。
【請求項４】
前記第２の形態は、前記アイテムをより前記特定の被写体の視認性が高くなる形態であって、前記第１の形態よりも低い輝度であることを特徴とする請求項３に記載の撮像制御装置。
【請求項５】
前記制御手段は、前記検出手段が前記特定の被写体を検出した場合には、前記アイテムを細く表示するように制御することを特徴とする請求項１乃至４のいずれか１項に記載の撮像制御装置。
【請求項６】
前記制御手段は、前記検出手段が前記特定の被写体を検出しても、前記特定の被写体に前記特定の処理を行えない場合には、前記アイテムを点灯しないように制御することを特徴とする請求項１乃至５のいずれか１項に記載の撮像制御装置。
【請求項７】
前記特定の被写体は、人物の顔であることを特徴とする請求項１乃至６のいずれか１項に記載の撮像制御装置。
【請求項８】
前記アイテムは測距点を示しており、
前記特定の処理はオートフォーカスであることを特徴とする請求項１乃至７のいずれか１項に記載の撮像制御装置。
【請求項９】
画像を撮像する撮像手段を更に有することを特徴とする請求項１乃至８のいずれか１項に記載の撮像制御装置。
【請求項１０】
前記表示手段において前記複数のアイテムは前記表示手段の横軸及び縦軸に沿って並んで配置されることを特徴とする請求項１乃至９のいずれか１項に記載の撮像制御装置。
【請求項１１】
前記特定の処理を行う指示を受付ける受付手段をさらに有し、
前記制御手段は、前記受付手段が前記指示を受付け、前記特定の処理が行われたことに応じて前記アイテムを点灯するように制御することを特徴する請求項１乃至１０のいずれか１項に記載の撮像制御装置。
【請求項１２】
シャッターボタンをさらに有し、
前記制御手段は、前記シャッターボタンを半押したことに応じて、前記受付手段が前記指示を受付け、前記シャッターボタンを全押したことに応じて、撮影を行うように制御することを特徴とする請求項１１に記載の撮像制御装置。
【請求項１３】
前記表示手段に配置される前記アイテムは、少なくとも第１の部分と第２の部分からなっており、前記アイテムの前記第１の部分と前記第２の部分とを別々に点灯可能であることを特徴とする請求項１乃至１２のいずれか１項に記載の撮像制御装置。
【請求項１４】
前記光学像の輝度を検出可能な輝度検出手段をさらに有し、
前記制御手段は、前記表示手段にあるアイテムは、前記輝度検出手段により検出された前記光学像の輝度に基づいた輝度で点灯するように制御することを特徴とする請求項１乃至１３のいずれか１項に記載の撮像制御装置。
【請求項１５】
被写体の光学像を観察するためのファインダー部と、
前記光学像のある光路上に配置され前記ファインダー部より観察可能な、点灯と非点灯をそれぞれ切替可能な複数のアイテムのある表示手段とを有する撮像制御装置の制御方法であって、
前記光学像において特定の被写体を検出する検出ステップと、
前記表示手段においては、前記複数のアイテムのうち特定の処理を行う位置を示すアイテムを点灯し、
前記検出ステップにおいて前記特定の被写体を検出していない場合には、前記アイテムを第１の形態で点灯し、
前記検出ステップにおいて前記特定の被写体を検出した場合には、前記アイテムをより前記特定の被写体の視認性が高くなる第２の形態であって、前記第１の形態よりも低い輝度で点灯するように制御する制御ステップとを有することを特徴とする撮像制御装置の制御方法。
【請求項１６】
被写体の光学像を観察するためのファインダー部と、
前記光学像のある光路上に配置され前記ファインダー部より観察可能な、点灯と非点灯をそれぞれ切替可能な複数のアイテムのある表示手段とを有する撮像制御装置の制御方法であって、
前記光学像において特定の被写体を検出する検出ステップと、
前記表示手段においては、前記複数のアイテムのうち特定の処理を行う位置を示すアイテムを点灯し、
前記検出ステップにおいて前記特定の被写体を検出していない場合には、前記アイテムを第１の形態で点灯し、
前記検出ステップにおいて前記特定の被写体を検出した場合には、前記アイテムをより前記特定の被写体の視認性が高くなる第２の形態であって、前記アイテムを前記第１の形態よりも前記特定の被写体と重なる領域が小さくなるように点灯するように制御する制御ステップとを有することを特徴とする撮像制御装置の制御方法。
【請求項１７】
コンピュータを、請求項１乃至１４のいずれか１項に記載された撮像制御装置の各手段として機能させるためのプログラム。
【請求項１８】
コンピュータを、請求項１乃至１４のいずれか１項に記載された撮像制御装置の各手段として機能させるためのプログラムを格納したコンピュータが読み取り可能な記録媒体。
【手続補正２】
【補正対象書類名】明細書
【補正対象項目名】０００３
【補正方法】変更
【補正の内容】
【０００３】
このようなＡＦ枠の表示制御に関する技術が特許文献１に記載されている。特許文献１では、顔優先ＡＦモードでは検出された顔が収まるようにＡＦ枠を拡大して表示する技術が提案されている。
【手続補正３】
【補正対象書類名】明細書
【補正対象項目名】０００７
【補正方法】変更
【補正の内容】
【０００７】
上記課題を解決し、目的を達成するために、本発明の撮像制御装置は、被写体の光学像を観察するためのファインダー部と、前記光学像のある光路上に配置され前記ファインダー部より観察可能な、点灯と非点灯をそれぞれ切替可能な複数のアイテムのある表示手段と、前記光学像において特定の被写体を検出する検出手段と、前記表示手段においては、前記複数のアイテムのうち特定の処理を行う位置を示すアイテムを点灯し、前記検出手段が前記特定の被写体を検出していない場合には、前記アイテムを第１の形態で点灯し、前記検出手段が前記特定の被写体を検出した場合には、前記アイテムをより前記特定の被写体の視認性が高くなる第２の形態であって、前記第１の形態よりも低い輝度で点灯するように制御する制御手段とを有する。
【手続補正４】
【補正対象書類名】明細書
【補正対象項目名】００２２
【補正方法】変更
【補正の内容】
【００２２】
メモリコントローラ１２７は、画像処理回路１２３から入力された未処理の画像データをバッファメモリ１２６に格納したり、画像処理済みの画像データを記録媒体１２８に格納する。また、バッファメモリ１２６や記録媒体１２８から画像データを取り込んで画像処理回路１２３に出力することもできる。また、メモリコントローラ１２７は、外部インターフェース１２９を介して送られてくる画像データを記録媒体１２８に格納したり、記録媒体１２８に格納されている画像データを外部インターフェース１２９を介して外部に出力可能である。外部インターフェースとしては、ＵＳＢ、ＩＥＥＥ、ＨＤＭＩ（登録商標）などのインターフェースが例として挙げられる。記録媒体１２８は、メモリカードなどのカメラ本体に対して着脱可能な記録媒体であるが、内蔵メモリであってもよい。
【手続補正５】
【補正対象書類名】明細書
【補正対象項目名】００５１
【補正方法】変更
【補正の内容】
【００５１】
次に、図３を用いて本実施形態における測距点の表示処理を説明する。図３の処理は、デジタルカメラ１００に電源がオンされ、ファインダー内表示部１４１に表示が可能になると開始される。この処理は、不揮発性メモリ１３８に記録されたプログラムを揮発性メモリ１３９に展開してカメラ制御部１４０が実行することで実現する。本実施形態のカメラ１００は、ＡＦ方式としてコントラスト方式や位相差方式などを用いたファインダー表示モードによる撮影が可能である。